(57)【特許請求の範囲】
【請求項１】
電気部品の端子に対し挟持可能な弾性片を有する複数のコンタクトピンを配設するソケット本体と、該ソケット本体の上側に略水平方向に移動自在のスライドプレートとを配設し、該スライドプレートをスライドさせる操作部材が前記ソケット本体に対して上下動自在に配設され、該操作部材の上下動により前記スライドプレートを移動させ、前記コンタクトピンの先端部を開閉させて前記電気部品の端子に離接させるようにした電気部品用ソケットにおいて、前記スライドプレートは互いに反対方向に移動する上下に重ねられた複数枚のスライドプレートより構成され、該各スライドプレートに前記コンタクトピンを拡開動作させるコンタクトピン押圧部を設け、前記ソケット本体に、前記各スライドプレートを移動動作させるための作動アームを回動自在に配設し、前記各スライドプレートにそれぞれプレートアーム部を設けるとともに、前記各作動アームの中途部に作動ピンを形成し、前記プレートアーム部の先端部に前記作動ピンを係合させることにより、前記作動アームと前記スライドプレートとを接続し、前記操作部材にこの操作部材の上下動により前記作動アームを回動動作させる作動突起を配設し、前記操作部材の下方への押動により前記作動突起により前記作動アームを回動させて前記各スライドプレートを移動させるようにしたことを特徴とする電気部品用ソケット。
【請求項２】
前記各作動アームの基端部を連結し、この連結部分を中心として各作動アームを回動動作させるようにしたことを特徴とする請求項１に記載の電気部品用ソケット。
【請求項３】
前記作動アームの回動動作部分を前記各スライドプレートの移動中心付近に配置するようにしたことを特徴とする請求項１または請求項２に記載の電気部品用ソケット。
【発明の詳細な説明】
【０００１】
【発明の属する技術分野】
この発明は電気部品用ソケットに係り、特に、電気部品の性能試験を行なうために、この電気部品の端子と外部電気的テスト回路との電気的接続を図るための電気部品用ソケットに関するものである。
【０００２】
【従来の技術】
従来から、半導体装置等の電気部品の性能試験を行なうために、この電気部品の端子と外部電気的テスト回路との電気的接続を図るための電気部品用ソケットが多く用いられている。
【０００３】
このような電気部品用ソケットにおいては、ソケット本体上に電気部品が載置される位置決めプレートが配設されるとともに、このソケット本体にコンタクトピンが配設され、その位置決めプレートとソケット本体の間に水平方向にスライドするスライドプレートが配設され、さらに、このスライドプレートを移動させるための操作部材がソケット本体に対して上下動自在に配設されるようになっている。
【０００４】
そして、この操作部材を下降させることにより、リンク機構を介してスライドプレートを水平方向にスライドさせることにより、コンタクトピンの一方の弾性片を弾性変形させてその上端部を拡開させる。その後、電気部品を位置決めプレート上に載置して、操作部材を上昇させることにより、スライドプレートを元の位置に戻り動作させ、コンタクトピンヘの押圧力を解除させる。これにより、コンタクトピンがその弾性力で初期位置に戻ることにより、コンタクトピンの先端部が電気部品の端子を挟持して電気的に接続するようになっている。
【０００５】
【発明が解決しようとする課題】
しかしながら、このような従来の電気部品用ソケットにおいては、操作部材を下降させることにより、リンク機構を介してスライドプレートを水平方向にスライドさせるようにしており、下方への押動力を、この押動方向に対して直交する水平方向に変換する必要があることから、操作部材を押動する力が多く必要であるという問題を有している。
【０００６】
また、コンタクトピンの一方の弾性片を拡開させて電気部品の端子を挟持させるものであるため、弾性片の動作量が多く必要であり、そのため、コンタクトピンの反発力が大きくなってしまい、スライドプレートを移動させるために多くの力が必要なってしまうという問題を有しており、さらに、コンタクトピンの負荷応力が増大してコンタクトピンの寿命の低下も招いてしまうという問題を有している。
【０００７】
本発明は前記した点に鑑みてなされたものであり、操作部材を少ない力で押動させることにより、スライドプレートを容易に移動させることのできる電気部品用ソケットを提供することを目的とするものである。
【０００８】
【課題を解決するための手段】
前記目的を達成するため請求項１に記載の発明に係る電気部品用ソケットは、電気部品の端子に対し挟持可能な弾性片を有する複数のコンタクトピンを配設するソケット本体と、該ソケット本体って本体の上側に略水平方向に移動自在のスライドプレートとを配設し、該スライドプレートをスライドさせる操作部材が前記ソケット本体に対して上下動自在に配設され、該操作部材の上下動により前記スライドプレートを移動させ、前記コンタクトピンの先端部を開閉させて前記電気部品の端子に離接させるようにした電気部品用ソケットにおいて、前記スライドプレートは互いに反対方向に移動する上下に重ねられた複数枚のスライドプレートより構成され、該各スライドプレートに前記コンタクトピンを拡開動作させるコンタクトピン押圧部を設け、前記ソケット本体に、前記各スライドプレートを移動動作させるための作動アームを回動自在に配設し、前記各スライドプレートにそれぞれプレートアーム部を設けるとともに、前記各作動アームの中途部に作動ピンを形成し、前記プレートアーム部の先端部に前記作動ピンを係合させることにより、前記作動アームと前記スライドプレートとを接続し、前記操作部材にこの操作部材の上下動により前記作動アームを回動動作させる作動突起を配設し、前記操作部材の下方への押動により前記作動突起により前記作動アームを回動させて前記各スライドプレートを移動させるようにしたことを特徴とするものである。
【０００９】
この請求項１に記載の発明によれば、操作部材を下方へ押動することにより、操作部材の作動突起が作動アームを回動させて各スライドプレートを互いに反対方向に移動させ、このスライドプレートの移動に伴って、スライドプレートに設けたコンタクトピン押圧部がコンタクトピンの各弾性片を拡開動作させて電気部品の端子を挟持できる態勢にしているので、コンタクトピンの各弾性片の動作量を半減させることができ、動作時における各弾性片の反発力も減少させることができ、その結果、少ない力で、スライドプレートを移動させることができる。更に、スライドプレートに設けられたプレートアーム部の先端部に、作動アームの中途部に形成された作動ピンを係合させることにより、作動アームとスライドプレートとを接続し、操作部材に設けた作動突起により、作動アームの先端部を押動し、作動アームの作動ピンをてこの原理により動作させてプレートアーム部を動作させ、スライドプレートを移動させるようにしているので、容易にスライドプレートを移動させることができ、操作部材を少ない力で押動することができる。
【００１２】
請求項２に記載の発明は、請求項１において、前記各作動アームの基端部を連結し、この連結部分を中心として各作動アームを回動動作させるようにしたことを特徴とするものである。
【００１３】
この請求項２に記載の発明によれば、作動アームの基端部を連結し、この連結部分を中心として各作動アームを回動動作させるようにしているので、各スライドプレートが移動した際に生じる反発力を各作動アームの連結部分で相殺することができる。
【００１４】
請求項３に記載の発明は、請求項１または請求項２において、前記作動アームの回動動作部分を前記各スライドプレートの移動中心付近に配置するようにしたことを特徴とするものである。
【００１５】
この請求項３に記載の発明によれば、作動アームの回動動作部分をスライドプレートの移動中心付近に配置するようにしているので、操作部材の押圧動作を行なった場合に、操作部材の動作を安定して行なうことができる。
【００１６】
【発明の実施の形態】
以下、本発明の実施形態を図１から図６を参照して説明する。
【００１７】
図１および図２は本発明に係る電気部品用ソケットの実施の一形態を示したもので、本実施の形態の電気部品用ソケット１は、例えば、ＩＣパッケージ等の電気部品（図示せず）の性能試験を行なうために、この電気部品の端子として格子状に配列された半田ボールと、外部電気的テスト回路（図示せず）との電気的接続を図るものである。
【００１８】
前記電気部品用ソケット１は、外部電気的テスト回路上に装着されるソケット本体２を有しており、このソケット本体２には、前記電気部品の半田ボールに対応するように格子状に配列された複数のコンタクトピン３（図３および図４に示す）が配設されている。
【００１９】
このコンタクトピン３は、図３および図４に示すように、導電性を有する材料からなる一対の弾性片４，４が形成されるとともに、下方に１本のソルダーテール部５が一体に形成されており、さらに、各弾性片４の中間部には、互いに相手側と離間する方向に折曲形成された折曲部６が形成されている。
【００２０】
そして、このコンタクトピン３は、ソルダーテール部５をソケット本体２の下面側に配設される図示しない基板に圧入することにより、ソケット本体２に対して直立状態に保持されており、このソルダーテール部５の最下端部は、プリント配線板の各貫通孔（図示せず）に挿通されて半田付けされることにより、プリント配線基板と接続されるようになっている。さらに、前記各コンタクトピン３の弾性片４は、ソケット本体２に挿通された状態で、この弾性片４の頂点を互いに狭まる方向に押圧して弾性変形させるようになされている。
【００２１】
また、ソケット本体２の上面には、下側スライドプレート７および上側スライドプレート８がそれぞれ積層配置されており、これら各スライドプレート７，８は、対角線方向に互いに反対方向に移動できるようになっている。さらに、各スライドプレート７，８には、各コンタクトピン３の弾性片４が挿通されており、これら各スライドプレート７，８には、図３および図４に示すように、通常状態では各コンタクトピン３の各弾性片４の間に位置し、各スライドプレート７，８が移動した際に、コンタクトピン３の各弾性片４を両側に押圧して弾性変形させるコンタクトピン押圧部９が形成されている。
【００２２】
また、上側スライドプレート８の上面には、コンタクトピン３の上端部を支持するとともに、上面に電気部品が載置される位置決めプレート１０が配設されており、この位置決めプレート１０の上面には、電気部品を所定の位置に位置決めするガイド部１１が電気部品の各角部に対応して設けられている。さらに、位置決めプレート１０の両側には、下方に延在する係止片１２が突設されており、この係止片１２の下端部には、わずかに外方に突出する係止爪１３が形成されている。一方、ソケット本体２の係止片１２に対応する位置には、係合用孔１４が形成されており、この係合用孔１４の内面には、位置決めプレート１０の係止片１２の係止爪１３に係合される係止突起１５が形成されている。そして、位置決めプレート１０の係止片１２の係止爪１３をソケット本体２の係止突起１５に係合させることにより、位置決めプレート１０を、この位置決めプレート１０とソケット本体２との間に各スライドプレート７，８を挟持した状態に保持するようになっている。
【００２３】
また、図１、図５および図６に示すように、下側スライドプレート７の移動方向側（図５において上側および右側）の各側面であって、上側および下側の両スライドプレート７，８の移動方向に直交する方向の角部近傍には、移動方向と直交する方向に延在するプレートアーム部１６，１６がそれぞれ突設されており、同様に、上側スライドプレート８の移動方向側（図５において左側および下側）の各側面であって、両スライドプレート７，８の移動方向に直交する方向の角部近傍には、移動方向と直交する方向に延在するプレートアーム部１６，１６がそれぞれ突設されている。これら各プレートアーム部１６の先端部には、ほぼ半球状を有するピン支持凹部１７，１７…がそれぞれ形成されている。
【００２４】
下側スライドプレート７の各プレートアーム部１６の上面側には、両スライドプレート７，８の辺方向に沿って延在する作動アーム１８，１８がそれぞれ配設されており、上側スライドプレート８の各プレートアーム部１６の下面側にも、スライドプレート７，８の辺方向に沿って延在する作動アーム１８，１８がそれぞれ配設されている。各スライドプレート７，８の移動方向に直交する方向に位置する各作動アーム１８は、各スライドプレート７，８の角部近傍において連結部材１９により互いに連結されており、各作動アーム１８は、連結部材１９を中心として互いに回動自在とされている。また、これら各作動アーム１８の中途部には、各プレートアーム部１６のピン支持凹部１７に係合される作動ピン２０がそれぞれ突設されており、各作動アーム１８の先端部の各スライドプレート７，８に対向する面には、作動凹部２１がそれぞれ形成されている。
【００２５】
さらに、位置決めプレート１０の上面側には、操作部材２２が配設されており、この操作部材２２の中央部には、電気部品を位置決めプレート１０の上面に装着するための開口２３が形成されている。操作部材２２の外周辺には、下方に延在する規制用片２４が突出形成されており、この規制用片２４の下端部には、内側にわずかに突出される規制爪２５が形成されている。一方、ソケット本体２の外周面には、この規制用片２４の規制爪２５に係合される係合爪２６が形成されており、操作部材２２とソケット本体２との間には、操作部材２２をソケット本体２に対して離間する方向に付勢するコイルばね等の付勢ばね２７が配設されている。さらに、この操作部材２２の下面であって、作動アーム１８の作動凹部２１に対応する位置には、作動凹部２１に当接する作動突起２８が下方に延在するように形成されており、この作動突起２８の作動凹部２１に当接する面は、上方に向かうにつれて徐々に幅寸法が大きくなるようなテーパ面２９とされている。
【００２６】
そして、通常状態では、付勢ばね２７の付勢力により、操作部材２２がソケット本体２から離間して上方に位置し、操作部材２２の規制用片２４の規制爪２５がソケット本体２の係合爪２６に係合した状態に保持されており、付勢ばね２７の付勢力に抗して操作部材２２を下方に押動させると、操作部材２２の規制用片２４の規制爪２５がソケット本体２の係合爪２６との係合が解除されて一定量下方へ移動することができるようになっている。この操作部材２２の下方への移動により、作動突起２８により作動アーム１８の作動凹部２１が徐々に押圧され、作動アーム１８を連結部材１９を中心として回動させることができるようになっている。
【００２７】
次に、本実施形態の作用について説明する。
【００２８】
電気部品を電気部品用ソケット１に装着するには、まず、図１および図５に示す状態から、付勢ばね２７の付勢力に抗して操作部材２２を下方に押動させることにより、操作部材２２の規制用片２４の規制爪２５がソケット本体２の係合爪２６との係合が解除されて一定量下方へ移動される。そして、この操作部材２２の下方への移動により、作動突起２８のテーパ面２９により作動アーム１８の作動凹部２１が徐々に押圧され、作動アーム１８が連結部材１９を中心として回動される。この作動アーム１８の回動動作により、作動ピン２０がプレートアーム部１６のピン支持凹部１７を押圧し、これにより、図６に示すように、プレートアーム部１６が移動されて各スライドプレート７，８が互いに反対方向に移動される。
【００２９】
この各スライドプレート７，８の移動に伴って、コンタクトピン押圧部９により、各弾性片４を押圧して弾性変形させることにより、図３に示す状態から図４に示すように、各弾性片４の先端部が拡開される。
【００３０】
この場合に、本実施の形態においては、各スライドプレート７，８に設けられたコンタクトピン押圧部９により、コンタクトピン３の各弾性片４を両側に拡開するものであるため、コンタクトピン３の各弾性片４の動作量を半減することができ、動作時における各弾性片４の反発力を減少させることができ、その結果、少ない力で、スライドプレート７，８を移動させることができるものである。しかも、作動突起２８により、作動アーム１８の先端部に形成された作動凹部２１を押動し、作動アーム１８の中途部に位置する作動ピン２０をてこの原理により動作させてプレートアーム部１６を動作させるものであるため、操作部材２２を少ない力で押動することにより、容易にスライドプレート７，８を移動させることができるものである。
【００３１】
そして、この状態で、電気部品がガイド部１１に案内されて、位置決めプレート１０の上面所定位置に載置され、電気部品の各半田ボールが、各コンタクトピン３の拡開された先端部の間に非接触状態で挿入される。
【００３２】
その後、操作部材２２の下方への押圧力を解除すると、この操作部材２２が付勢ばね２７の付勢力により、操作部材２２の規制用片２４の規制爪２５がソケット本体２の係合爪２６に係合するまで上昇され、これに伴って、作動突起２８も上昇され、これにより、作動アーム１８への押圧力が解除される。これにより、コンタクトピン３の弾性片４の弾性力により、各スライドプレート７，８が元の位置に戻され、これに伴って、プレートアーム部１６および可動ピンを介して各作動アーム１８が元の位置に戻される。これにより、コンタクトピン３の各弾性片４の先端部により、電気部品の半田ボールが挟持される。これにより、電気部品の各半田ボールと外部電気的テスト回路とがコンタクトピン３を介して電気的に接続されることになる。
【００３３】
また、電気部品を装着状態から取り外す場合は、同様に操作部材２２を下降させることにより、コンタクトピン３の先端部が拡開され、これにより、電気部品の半田ボールがコンタクトピン３から外れ、弱い力で簡単に電気部品を外すことができるものである。
【００３４】
したがって、本実施の形態においては、各スライドプレート７，８を互いに移動させることにより、コンタクトピン３の各弾性片４を両側に拡開するようにしているので、コンタクトピン３の各弾性片４の動作量を半減することができ、動作時における各弾性片４の反発力を減少させることができ、その結果、少ない力で、スライドプレート７，８を移動させることができる。また、コンタクトピン３の負荷応力も低減させることができ、コンタクトピン３の長寿命化を図ることができる。さらに、コンタクトピン３の負荷応力が減少することにより、コンタクトピン３の弾性片４の長さ寸法を減少させることができ、ソケット全体の高さ寸法を小さく形成することができる。
【００３５】
また、作動突起２８により、作動アーム１８の先端部に形成された作動凹部２１を押動し、作動アーム１８の中途部に位置する作動ピン２０をてこの原理により動作させてプレートアーム部１６を動作させるものであるため、操作部材２２を少ない力で押動することにより、容易にスライドプレート７，８を移動させることができる。しかも、作動アーム１８をスライドプレート７，８の移動方向である水平方向に移動させるものであるため、ソケット全体の高さ寸法を小さくすることができる。さらに、作動アーム１８の回動動作部分をスライドプレート７，８の移動中心付近に配置するようにしているので、操作部材２２の押圧動作を行なった場合に、操作部材２２の動作を安定して行なうことができる。
【００３６】
また、各作動アーム１８を連結部材１９により連結させているので、各スライドプレート７，８が移動する際に生じる反発力を連結部分で相殺することができる。
【００３７】
なお、本発明は前記実施形態のものに限定されるものではなく、必要に応じて種々変更することが可能である。
【００３８】
【発明の効果】
以上述べたように請求項１に記載の発明に係る電気部品用ソケットは、操作部材を下方へ押動することにより、操作部材の作動突起により作動アームを回動させて各スライドプレートを互いに反対方向に移動させ、このスライドプレートの移動に伴って、コンタクトピン押圧部によりコンタクトピンを両側に拡開動作させて電気部品の端子を挟持できる態勢にしているので、コンタクトピンの各弾性片の動作量を半減することができ、動作時における各弾性片の反発力を減少させることができ、その結果、少ない力で、スライドプレートを移動させることができる。また、コンタクトピンの負荷応力も低減させることができ、コンタクトピンの長寿命化を図ることができる。さらに、コンタクトピンの負荷応力が減少することにより、コンタクトピンの弾性片の長さ寸法を減少させることができ、ソケット全体の高さ寸法を小さく形成することができる。更に、スライドプレートに設けられたプレートアーム部の先端部に、作動アームの中途部に形成された作動ピンを係合させることにより、作動アームとスライドプレートとを接続し、操作部材に設けられた作動突起により、作動アームの先端部を押動し、作動アームの作動ピンをてこの原理により動作させてプレートアーム部を動作させ、スライドプレートを移動させるようにしているので、操作部材を少ない力で押動することにより、容易にスライドプレートを移動させることができる。
【００４０】
さらに、請求項２に記載の発明は、作動アームの基端部を連結し、この連結部分を中心として各作動アームを回動動作させるようにしているので、各スライドプレートが移動した際に生じる反発力を各作動アームの連結部分で相殺することができる。
【００４１】
また、請求項３に記載の発明は、作動アームの回動動作部分をスライドプレートの移動中心付近に配置するようにしたので、操作部材の押圧動作を行なった場合に、操作部材の動作を安定して行なうことができる等の効果を奏する。
【図面の簡単な説明】
【図１】  本発明に係る電気部品用ソケットの実施の一形態を示す平面図
【図２】  図１に示す電気部品用ソケットの正面断面図
【図３】  図１の電気部品用ソケットに用いられるコンタクトピンを示す正面図
【図４】  図３に示すコンタクトピンの拡開状態を示す正面図
【図５】  図１のスライドプレート部分を示す平面図
【図６】  図５に示す各スライドプレートの移動状態を示す平面図
【符号の説明】
１  電気部品用ソケット
２  ソケット本体
３  コンタクトピン
４  弾性片
７  下側スライドプレート
８  上側スライドプレート
９  コンタクトピン押圧部
１０  位置決めプレート
１１  ガイド部
１６  プレートアーム部
１８  作動アーム
１９  連結部材
２０  作動ピン
２１  作動凹部
２２  操作部材
２７  付勢ばね
２８  作動突起
【図１】
0003739626.tif 000002
【図２】
0003739626.tif 000003
【図３】
0003739626.tif 000004
【図４】
0003739626.tif 000005
【図５】
0003739626.tif 000006
【図６】
0003739626.tif 000007